(57)【要約】【解決課題】遊技盤の背面に付設するセット板を多機種に共用可能にして製造並びに管理を容易にする。【解決手段】遊技盤（１）の背面に取付けるセット板（２）の背面部の適所に取付部（２３）を形成して装着用ベース板（２２）を着脱可能に固定する一方、該ベース板（２２）に形成する装着部（２５）に中継端子基板（１６，２６，２７）を装着し、該ベース板（２２）を介して前記セット板（２）の背面部に前記中継端子基板を取付けるようにする。【選択図】    図４
2004187845.tif 000002
【特許請求の範囲】
【請求項１】
セット板の背面部の適所に中継端子基板の装着用ベース板を着脱可能に固定する取付部を形成する一方、前記ベース板には中継端子基板を装着する装着部を設けて前記中継端子基板を前記ベース板を介して前記セット板の背面部に取付けることを特徴としたパチンコ機のセット板。
【請求項２】
請求項１の記載において、セット板の背面部に形成する取付部は背面部から起立する取付突起により構成されることを特徴としたパチンコ機のセット板。
【請求項３】
請求項１又は２の記載において、セット板の背面部の取付突起は間隔をおいて複数個突設し、該いずれかの取付突起を介してベース板を固定することを特徴としたパチンコ機のセット板。
【請求項４】
請求項１乃至３の記載において、ベース板の装着部は間隔をおいて配置される複数個の止め部からなることを特徴としたパチンコ機のセット板。
【請求項５】
請求項４の記載において、ベース板の装着部を構成する止め部は突起であることを特徴としたパチンコ機のセット板。
【請求項６】
請求項４の記載において、ベース板の装着部を構成する止め部は弾性係止片であることを特徴としたパチンコ機のセット板。
【請求項７】
請求項１乃至３の記載において、ベース板の装着部は間隔をおいて設ける複数個の止め部から構成し、そのいずれかの１乃至複数個の止め部を介して中継端子基板を固定することを特徴としたパチンコ機のセット板。
【発明の詳細な説明】
【０００１】
【発明の属する技術分野】
本発明は、パチンコ機に装備される遊技盤の背面に装着され、遊技盤の前面に備える入賞装置を通して送り込まれる入賞球を取り纏め、集合させるセット板に関する。
【０００２】
【従来の技術】
セット板は、通常プラスチックを材料にして形成される浅い箱形をなすもので、遊技盤前面に備える全ての入賞口、入賞装置を背後から被い、この入賞口、入賞装置を通して送り込まれる入賞球を受け入れるようになっている。そして、この入賞球を一箇所に集めてこれを機外に放出する機能をもたせてあるが、更にその外に、このセット板には背面に入賞装置に電力を供給したり、入賞を検出した信号や装置を作動する信号等を送受信するための配線を中継する中継端子基板が取付けられようになっている。
【０００３】
上記中継端子基板は入賞装置に備える開閉翼片を作動するモータやソレノイド等の動力源に電力を供給する配線、表示用乃至照明用ランプの配線、或は入賞球を検出する検出スイッチの信号や液晶表示画面を制御する信号を送受信する配線等を接続し、この中継端子基板を中継点にして制御回路基板や外部電源と接続するものとして使われるが、この中継端子基板はパチンコ機の機種に従ってその規模、形状等が異なるものとなっている。
【０００４】
即ち、従来、セット板はこれに組付けられる中継端子基板と共に個々の機種の基本設計に基いてその機種専用のものとして製造されており、セット板にはそのため特定する中継端子基板に適合した取付部が製造時に予め背面部に設けられるようになっており、また中継端子基板にもこの取付部に合せてビスを通す透孔が開設される等特注のものとなっているのが普通である。
【０００５】
上記取付部は形状等を特定するものとはなっていないが、一般にはボス状に形成して中継端子基板の隅部を当接し、これに開設する透孔を通してビスを取付部の頂部にねじ付けてしっかり取付けるようにしている。
【０００６】
この様に従来のセット板は機種の設計に合せて遊技盤に対応する専用のものが製造されており、またこの専用のセット板に合せて中継端子基板が設計製造されるものとなっているが、この専用化は製造の面で、また部品の在庫管理の面で極めて不都合を生じている。
【０００７】
【発明が解決しようとする課題】
従って、本発明は従来上記特定の機種に従ってその機種のためにだけ設計製造されるセット板と中継端子基板にあって、セット板を改善することによって中継端子基板について設計に基づく変更を生じた場合であってもこの変更を許容し、取付けを可能とした遊技盤に装着される改善されたセット板を提供しようとするものである。
【０００８】
前述したようにセット板、そして中継端子基板の専用化は組立作業時には予め両者の関係が定っていることから作業上有利であるが、反面設計の変更によって一部の部品が交換されたとき、例えば遊技盤に取付ける入賞装置を変更して作動の異なるものと変えられたとき、これに伴って入賞装置の制御が変り、その配線系統が変ることによって中継端子基板の端子の配置が変り、形状が変更される、と言ったことになるが、この様なとき他の部分に変更がなくとも、この中継端子基板の変更によってセット板に形成される取付部との取付位置の関係が変ってしまうことから同一のセット板の使用が出来なくなる問題があった。
【０００９】
このため、従来は機種毎に専用のセット板を準備する必要があり、多数の機種を製造する場合在庫管理が極めて厄介になると共に、転用ができないことから機種の変更があると廃棄処分される等不経済な処置がされていた。
【００１０】
【課題を解決するための手段】
本発明は、上記問題を解決するため開発されたもので、その目的とするところはセット板の背面部に直接中継端子基板を取付けることなくしてセット板と中継端子基板との間に中継端子基板装着用のベース板を介挿して、セット板とベース板との間には共通する一定の構造の取付手段を備え、他方ベース板と中継端子基板との間には個々の中継端子基板に対応した取付手段を設けて中継端子基板の変更に対してはベース板に形成する装着部によって対応するか、若しくは該ベース板の交換によって対応し、異なる機種に対して同一のセット板の使用を可能にしたパチンコ機のセット板を提供せんとするものである。
【００１１】
更に本発明を詳述すれば、その特徴とするところはセット板の背面部の適所に中継端子基板の装着用ベース板を着脱可能に固定する取付部を形成し、他方前記ベース板には中継端子基板を装着する装着部を設けて前記中継端子基板を前記ベース板を介して前記セット板の背面部に取付けることを特徴としたパチンコ機のセット板を提供することにある。
【００１２】
また本発明は、前記セット板の背面部に形成する取付部は、背面部から起立する取付突起により構成されることを特徴としたパチンコ機のセット板を提供することにある。
【００１３】
また本発明は、前記セット板の背面部の取付突起は、間隔をおいて複数個突設し、該いずれかの取付突起を介してベース板を固定することを特徴としたパチンコ機のセット板を提供することにある。
【００１４】
また本発明は、前記ベース板の装着部は間隔をおいて配置される複数個の止め部からなることを特徴としたパチンコ機のセット板を提供することにある。
【００１５】
また本発明は、前記ベース板の装着部を構成する止め部は突起、若しくは弾性係止片であることを特徴としたパチンコ機のセット板を提供することにある。
【００１６】
また本発明は、前記ベース板の装着部は間隔をおいて設ける複数個の止め部から構成し、そのいずれかの１乃至複数個の止め部を介して中継端子基板を固定することを特徴としたパチンコ機のセット板を提供することにある。
次に、本発明に係るセット板を図示する実施例について説明し、その特徴とするところを明らかにする。
【００１７】
【発明の実施の形態】
【実施例１】
添付する図面の図１から図５は本発明に係るセット板の第１の実施例を示したものである。
図１はセット板が装着される遊技盤の概略を示した正面図であり、図２は遊技盤の背面に装着したセット板の正面図である。図面の符号１は遊技盤であり、２はセット板である。
【００１８】
ここに示す遊技盤１はパチンコ機に着脱自由に組付け、取り外せるようにした所謂分離式パチンコ機における遊技盤であり、図１に示すように前面には円形状の打球誘導用のレール３を配置し、中央部に遊技部４を形成する。
上記遊技部４には液晶表示画面５を備えた表示装置６、この表示装置６の作動を開始させる始動用入賞口装置７、そしてこの入賞口装置の左右に配置される普通入賞口装置８、８を備え、これらの入賞口装置の下方にあって開閉する扉９を備える大入賞口装置１０を備える。
また遊技部４には落下する打球の方向を変える複数の風車１１と、上記入賞口装置７、８や大入賞口装置１０に入賞したとき点滅表示させる表示ランプ１２、１２が左右対称状に設けられる。
【００１９】
また一方、前記表示装置６の上部には天入賞口装置１３が設けてあり、前記大入賞口装置１０の下にはアウト球口１４が開設される。
図面には入賞口装置７、８、１３に臨む命釘１５を除いてその他の障害釘を省略しているが、遊技部４の全面に亘る適所には多数の障害釘が植設されることになる。
【００２０】
この様に入賞口装置等各種の部品を備えた遊技盤１には図２に示したように背面部にセット板２が付設される。
セット板２は前述したように遊技盤の前面に設ける入賞口装置に入賞し、遊技盤１に穿つ透孔を通して背面側に送られる入賞球の全てを受け入れ、これを集合させる入賞球集合室を前面側に備え、背面側には上記入賞口装置に備える入賞球の検出スイッチの配線、開閉扉の作動用ソレノイドの電源用配線、或は照明用、装飾用乃至表示用ランプの電源用配線を接続する中継端子基板１６を取付けるための取付手段を後述する如く一体に設ける。
【００２１】
ここに示したセット板２は、図示するように基本的に従来実施されているものと共通した形状をなしており、前記入賞口装置７、８、１３の全てを背後から被う大きさのセット板主体部２ａを基体にして、その略中央部に前記表示装置６や入賞装置の後部を貫き通す窓１７を開設する。
その一方、主体部２ａの前面側には外縁部に沿って外壁部１８を設け、前記窓１７には縁部に沿って内壁部１９を起立して、これら両壁部の立ち上がりによって間に樋状の空間を形成し入賞球の前記集合室２０を形成する。
【００２２】
上記集合室２０を形成することによってセット板２は全体の形状として主体部２ａを底部とする浅い箱形に形成される。そして、前記中継端子基板１６を取付ける取付手段はこの底部となる主体部２ａの背面側に設けられることになる。
【００２３】
前記中継端子基板１６は、セット板２の外に設ける図示しない制御装置から引き込む配線と前記入賞口装置７、８、大入賞口装置１０、表示装置６、表示用ランプ１２等の配線とを接続する主たる中継端子基板として示してあり、ここではこの外に上記主たる中継端子基板１６と入賞口装置７、８、大入賞口装置１０との間を中継するための従たる補助用の中継端子基板２１、２１が取付けてある。
【００２４】
図３乃至図５は本実施例における中継端子基板１６をセット板２に取付けるための取付手段を明らかにするため要部を拡大して示したものであり、図３は主たる中継端子基板１６と、この中継端子基板１６を取付けるためセット板２の背面部に備えたベース板２２の正面図である。また図４は図３の底面図である。
【００２５】
図面における符号２３はセット板２の背面に前記ベース板２２を取付ける取付手段たる取付部であり、ここではセット板主体部２ａから一体に起立させた４本の取付突起２３ａにより構成してある。
４本の取付突起２３ａは取り付けるべきベース板２２の各コーナー部に対応させて起立させてあり、高さを揃えたそれぞれの頂部には雌ねじ孔を開設してある。
【００２６】
矩形に形成したベース板２２は上記取付突起の頂部間に渡し載置したのち、各コーナー部に穿つ透孔を通してビス２４を前記雌ねじ孔に揉み込んで一体に取り付けることになる。
このベース板２２は上面（反対側の面）に中継端子基板１６を取り付けるための装着部２５を備える。
【００２７】
装着部２５は、大小異なる中継端子基板を装着できるように複数の装着部を含み構成されており、ここでは想定する最も大型の中継端子基板（具体的には中継端子基板１６にしてある。）を装着する基準装着部と、小型の中継端子基板２６，２７（図３に１点鎖線及び２点鎖線を以て表す。）を装着する副装着部とからなっている。
【００２８】
上記基準装着部は４つの突起状の止め部２８を起立して構成してあり、その各頂部には雌ねじ孔を穿ってあり、中継端子基板１６を通してビス２９をねじ付けることにより止め付け固定できるようにしてある。つまり、この基準装着部は前記取付部２３と同様に構成されるもので、４本の止め部２８は矩形をなす中継端子基板１６の各コーナー部に対応して立ち上げてあり、ビス２９によって取り外し可能に取り付けられるようにしてある。
【００２９】
一方、前記副装着部はこの実施例では上記４本の止め部２８の中間部に１本の突起状の止め部３０を起立させることで形成している。
この止め部３０の起立によって前記他の止め部２８の１つ若しくは複数と組合うことで大きさの異なる副装着部を形成することになる。
つまり、図３に従って説明すると、２点鎖線で示すやや小型の中継端子基板２７は、左方の２つの止め部２８，２８と１本の止め部３０の組合せからなる副装着部によって支持することができ、更に小型の中継端子基板２６は右方の２本の止め部２８，２８のみを使って取付けることができるのである。
【００３０】
尚、前記中間部の止め部３０は１本に限られるものではなく、図面に１点鎖線を以って示すように、この止め部３０を取巻く如く複数本の止め部３０ａを起立して更に多くの副装着部を構成することができるものとなっている。
【００３１】
ところで、図５は右方の２本の止め部２８，２８と中央の止め部３０により構成される副装着部を使って前記やや小型の中継端子基板２６を取付ける場合を示したものである。
これによって明らかなように、本発明では前記止め部２８，３０の組合せを選択することによって各種の副装着部を作ることができ、また前記基準装着部と合わせて色々大きさ、形状の異なる中継端子基板の取付けに対応することができるものとなっている。
【００３２】
勿論、一旦取付けた中継端子基板１６，２６，２７はビス２９による固定であるのでビスを外すことで簡単に取り外すことができ、他のものと交換することができる。
【００３３】
【実施例２】
次に、図６乃至図９は本発明に係るセット板の第２の実施例である。
この実施例はベース板２２に形成する装着部の止め部を弾性係止片３１に変更し、更にこの弾性係止片３１に対向させて係止台３２を設け、両者の協同によって中継端子基板を保持するようにした例である。
【００３４】
係止台３２はやゝ肉厚の壁状に形成してあり、ベース板２２から起立して上端の近くに横向きに開口する係止溝３３を全長に亘って形成し、これに中継端子基板３４の一側縁を嵌め込み支持できるようにしてある。
【００３５】
一方、弾性係止片３１は中継端子基板３４の幅に相当する間隔をおいて上記係止台３２に向き合うように立設し、上端に備える爪３１ａで中継端子基板３４の他方の縁部を係止し、止め付けが行えるようにしてある。
【００３６】
上記弾性係止片３２は、ここでは間隔をおいて３個立設してあり、この各係止片に向かい合わせて支持用の突起３５を突設してある。
この突起３５は中継端子基板３４の下面を受けて前記係止爪３１ａの掛け止め状態を確保するものであり、突起３５の頂部と爪３１ａとの間には中継端子基板の板厚分の差がある。
尚、突起３５の頂部には小突起３５ａが設けてあり、係止時に中継端子基板に穿つ穴３６に突き入れて横移動を拘束するようにしてある。
【００３７】
中継端子基板３４の取付けは、最初に基板の一方の縁を係止台３２の係止溝３３に嵌め付け、次に他方の縁を支持用突起３５上に降し、穴３６に小突起３５ａを突き入れ、更にこの縁部で係止片３１の爪３１ａを弾性を利用して後退させながら掛け止め、その取付けを行う。
上記中継端子基板３４の取り外しは、上記逆の手順によって行うことになり、この操作の繰り返しによって別の基板との交換を行うことができる。
【００３８】
次に、図９は、上記構成される装着部を使って小型の、つまり大型である中継端子基板３４に代わる略３分の１の大きさの中継端子基板３７と、略３分の２の大きさの中継端子基板３８とを取付ける場合を示したものである。
【００３９】
この例は中継端子基板３７，３８が小型になったとき弾性係止片３１と係止台３２、そして突起３５を使って大型の中継端子基板３４と同様に取付が可能となることを示したものであり、結果的に１つの装着部の中に小型の中継端子基板３７，３８等異なる大きさの中継端子基板を取付ける複数の装着部が形成されることを示すものである。
【００４０】
尚、中継端子基板３７は係止台３２と１つの弾性係止片３１を使って装着され、また中型の中継端子基板３８は係止台３２と２つの弾性係止片３１を使って装着されている。
【００４１】
以上、本発明を図面に示す実施例について説明したが、上述説明において明らかなように、本発明においてはセット板２に対する中継端子基板の取付けを直接に行わずにベース板２２を介して行うようにしてベース板に中継端子基板の装着部を形成することとしたことから、中継端子基板に変更があった場合、このベース板２２を交換すれば中継端子基板の変更に対応することができ、セット板２全体を取り替える必要がなくなる。
【００４２】
つまり、本発明はセット板２の背面部に一定の取付部２３を形成し、この取付部を介してベース板２２を取付ける構造とすることによってセット板が中継端子基板の変更に影響されなくなること、そして中継端子基板の変更は前記ベース板２２に形成する装着部の変更によって対応するものとすることから結果的に中継端子基板に変更があった場合には、それに伴わせて対応する装着部を備えたベース板２２を交換すればよく、セット板２はそのまま使用することが可能となるのである。
【００４３】
また更に、本発明においては前記ベース板２２には中継端子基板を装着する装着部として大きさ、形状等の異なる中継端子基板を装着できる構成とすることにより、中継端子基板の変更範囲によってはベース板２２を交換するまでもなく対応することができることからセット板２、ベース板２２をそのままにして異種の中継端子基板の装着取付が可能となっている。
【００４４】
なお、前記実施例ではセット板２の背面部の左上部に取付部２３を形成し、中継端子基板を取付けるものとしたが、その他の空所に形成してもよく、また複数箇所に設けて複数の中継端子基板を装着してもよい。
勿論、本発明のセット板２及びベース板２２はプラスチックを素材にして成形されることから取付部及び装着部はこれらと共に一体に成形が可能であり、従来のセット板と変りなく製造することができる。
【００４５】
【発明の効果】
従って、本発明によればセット板の背面部にベース板を介して異種の中継端子基板を装着し取付けることとしたことから、一種類のセット板を他機種に転用が可能であり、従って従来のように機種毎に変更するのに伴って使用不能となることがない。
また、中継端子基板が変更することによって１つのベース板で対応できない場合は、このベース板だけを交換することで対応することができるため在庫管理が容易であり、また型違いを理由にして廃棄処分されるような不都合もなくなり経済的である。
【図面の簡単な説明】
【図１】遊技盤の正面図。
【図２】セット板の正面図。
【図３】セット板の背面部に取付けられるベース板に中継端子基板を取付けた状態を説明する拡大正面図。
【図４】図３の底面図。
【図５】ベース板に小型の中継端子基板を取付けた状態を説明する底面図。
【図６】第２の実施例におけるベース板を説明する拡大正面図。
【図７】図７の底面図。
【図８】第２の実施例におけるセット板の取付部とベース板の関係を説明する拡大分解斜視図。
【図９】第２の実施例におけるベース板の拡大正面図である。
【符号の説明】
１                  遊技盤
２                  セット板
２ａ                セット板の主体部
１６、２６、２７    中継端子基板
２２                ベース板
２３                取付部
２８、３０、３０ａ  装着部を形成する止め部たる突起部
３１                止め部たる弾性係止片
３２                止め部たる係止台
【図１】
2004187845.tif 000003
【図２】
2004187845.tif 000004
【図３】
2004187845.tif 000005
【図４】
2004187845.tif 000006
【図５】
2004187845.tif 000007
【図６】
2004187845.tif 000008
【図７】
2004187845.tif 000009
【図８】
2004187845.tif 000010
【図９】
2004187845.tif 000011